(57)【要約】【課題】鉄塔上に避雷がいしを荷揚げする際に、避雷がいしが損傷するのを効果的に防止できる避雷がいし用防護マットを提供する。【解決手段】長辺の両端部側が中央部より狭いマット本体１０と、マット本体の対向する短辺に沿ってそれぞれ設けられ、各々の一端側が長辺から突出した第１、第２の係止帯１２−１、１２−２と、第１、第２の係止帯間に設けられ、一端側が長辺から突出した第３の係止帯１２−３と、第１乃至第３の係止帯における、マット本体の裏面側に対応する長辺からの突出部にそれぞれ設けられた第１乃至第３の係止部材１３−１ａ〜１３−３ａと、マット本体の表面側の第１乃至第３の係止部材にそれぞれ対応する位置に設けられ、マット本体の長手方向に避雷がいしを包み込んだ状態で第１乃至第３の係止部材にそれぞれ係止される第４乃至第６の係止部材１３−１ｂ〜１３−３ｂとを具備することを特徴とする。【選択図】図１
0003177597.tif 000002
【実用新案登録請求の範囲】
【請求項１】
避雷がいしを鉄塔上に荷揚げする際に、避雷がいしを損傷から保護する避雷がいし用防護マットであって、
長辺の両端部側が中央部より狭いマット本体と、
このマット本体の対向する短辺に沿ってそれぞれ設けられ、各々の一端側が前記長辺から突出した第１、第２の係止帯と、
前記第１、第２の係止帯間に設けられ、一端側が前記長辺から突出した第３の係止帯と、
前記第１乃至第３の係止帯における、前記マット本体の裏面側に対応する前記長辺からの突出部にそれぞれ設けられた第１乃至第３の係止部材と、
前記マット本体の表面側の前記第１乃至第３の係止部材にそれぞれ対応する位置に設けられ、前記マット本体で長手方向に前記避雷がいしを包み込んだ状態で前記第１乃至第３の係止部材にそれぞれ係止される第４乃至第６の係止部材とを具備することを特徴とする避雷がいし用防護マットである。
【請求項２】
前記マット本体は、表面と裏面が化学繊維で、中綿としてキルト芯が縫い込まれたクッション性の材料で形成されていることを特徴とする請求項１に記載の避雷がいし用防護マット。
【請求項３】
前記マット本体の対向する短辺側にそれぞれ設けられたタックを有し、長辺の両端部側を中央部より狭くしたことを特徴とする請求項１または２に記載の避雷がいし用防護マット。
【請求項４】
前記第１乃至第３の係止部材はそれぞれ、前記第１乃至第３の係止帯における前記マット本体の裏面側に対応する前記長辺からの突出部にそれぞれ設けられ、前記第４、第５の係止部材はそれぞれ前記第１、第２の係止帯における前記マット本体の表面側に設けられ、前記第６の係止部材は前記マット本体の表面側に設けられることを特徴とする請求項１乃至３いずれか１つの項に記載の避雷がいし用防護マット。
【請求項５】
前記第１乃至第３の係止部材はそれぞれ、面ファスナのフック面またはループ面であり、第４乃至第６の係止部材はそれぞれ、面ファスナのループ面またはフック面であることを特徴とする請求項４に記載の避雷がいし用防護マット。
【請求項６】
前記第１乃至第３の係止部材はそれぞれ、前記第１乃至第３の係止帯における前記マット本体の裏面側に対応する前記長辺からの突出部にそれぞれ、引き剥がしの起点となるつまみ部のスペースを空けて設けられることを特徴とする請求項４または５に記載の避雷がいし用防護マット。
【請求項７】
前記マット本体の短辺側に設けられた落下防止紐取付リングを更に具備することを特徴とする請求項１乃至６いずれか１つの項に記載の避雷がいし用防護マット。
【考案の詳細な説明】
【技術分野】
【０００１】
本考案は、避雷がいし（マルチホーン）を鉄塔上に荷揚げして取り付ける際の破損を防止する、避雷がいし用防護マットに関するものである。
【背景技術】
【０００２】
通常、送電線は、電圧階級に応じた長さのがいし連によって鉄塔のアームに絶縁された状態で支持されている。しかし、送電線に落雷すると異常な高電圧がかかり、大電流が流れるため、がいし連が破壊されて大規模な停電事故を招く虞がある。
【０００３】
これを防ぐために、例えば、図５に示すように、がいし連１にマルチホーンと呼ばれる避雷がいし２を取り付け、雷サージにより発生するアークをがいし連１の外部に誘導してがいし連１の破壊を防止している（例えば、特許文献１参照）。
【０００４】
図５において、３は鉄塔の支持アームに固定される取付プレート（ハンガ構造物）、４は電線側ヨーク（キャリア構造物）、５はアダプタ（支持構造物）、６はアークホーンである。避雷がいし２は、上記取付プレート３にアダプタ５により片持ち支持されて取り付けられる。この避雷がいし２は、非線形の電圧−電流特性を持った限流素子を備えており、高電圧の雷サージ電流のみをアース側に放電し、これに続く続流を遮断する機能を有している。
【０００５】
ところで、がいし連１に避雷がいし２を取り付ける際には、例えば、特許文献２に記載されているように、図６に示すような碍子保護運搬袋７に入れて作業員が携帯して運搬、或いは、ロープを使って鉄塔上に荷揚げするのが一般的である。
【０００６】
この碍子保護運搬袋７は、合成樹脂糸をカエル又編して編成した網袋を複数層に重ね合わせてなる網袋体７ａの開口縁に紐８を挿通して開閉自在にすると共に、この網袋の所望の層間に、同じく合成樹脂糸をカエル又編し、網目を小さく編成した中網袋７ｂを配置したものである。
【先行技術文献】
【特許文献】
【０００７】
【特許文献１】特開平１１−１９５４７２号公報
【特許文献２】実公昭５６−３９０１０号公報
【考案の概要】
【考案が解決しようとする課題】
【０００８】
上述した特許文献２に開示されている碍子保護運搬袋は、ある程度の緩衝作用を持っているものの、鉄塔上に避雷がいしを荷揚げする際に、鉄塔部材などにぶつかった時のような大きな衝撃まで吸収することはできず、避雷がいしが傷付いたり破損したりする虞がある。
【０００９】
本考案は、上記のような事情に鑑みてなされたもので、その目的とするところは、鉄塔上に避雷がいしを荷揚げする際に、避雷がいしが損傷してしまう事態の発生を効果的に防止できる避雷がいし用防護マットを提供することにある。
【課題を解決するための手段】
【００１０】
本考案は、避雷がいしを鉄塔上に荷揚げする際に、避雷がいしを損傷から保護する避雷がいし用防護マットであって、長辺の両端部側が中央部より狭いマット本体と、このマット本体の対向する短辺に沿ってそれぞれ設けられ、各々の一端側が前記長辺から突出した第１、第２の係止帯と、前記第１、第２の係止帯間に設けられ、一端側が前記長辺から突出した第３の係止帯と、前記第１乃至第３の係止帯における、前記マット本体の裏面側に対応する前記長辺からの突出部にそれぞれ設けられた第１乃至第３の係止部材と、前記マット本体の表面側の前記第１乃至第３の係止部材にそれぞれ対応する位置に設けられ、前記マット本体で長手方向に前記避雷がいしを包み込んだ状態で前記第１乃至第３の係止部材にそれぞれ係止される第４乃至第６の係止部材とを具備することで、上述した課題を解決した。
【００１１】
また、前記マット本体は、表面と裏面が化学繊維で、中綿としてキルト芯が縫い込まれたクッション性の材料で形成されていることで、同じく上述した課題を解決した。
【００１２】
更に、前記マット本体の対向する短辺にそれぞれ設けられたタックを有し、長辺の両端部側を中央部より狭くしたことで、同じく上述した課題を解決した。
【００１３】
また、前記第１乃至第３の係止部材はそれぞれ、前記第１乃至第３の係止帯における前記マット本体の裏面側に対応する前記長辺からの突出部にそれぞれ設けられ、前記第４、第５の係止部材はそれぞれ前記第１、第２の係止帯における前記マット本体の表面側に設けられ、前記第６の係止部材は前記マット本体の表面側に設けられることで、同じく上述した課題を解決した。
【００１４】
加えて、前記第１乃至第３の係止部材はそれぞれ、面ファスナのフック面またはループ面であり、第４乃至第６の係止部材はそれぞれ、面ファスナのループ面またはフック面であることで、同じく上述した課題を解決した。
【００１５】
また、前記第１乃至第３の係止部材はそれぞれ、前記第１乃至第３の係止帯における前記マット本体の裏面側に対応する前記長辺からの突出部にそれぞれ、引き剥がしの起点となるつまみ部のスペースを空けて設けられることで、同じく上述した課題を解決した。
【００１６】
この他、前記マット本体の短辺側に設けられた落下防止紐取付リングを更に具備することで、同じく上述した課題を解決した。
【考案の効果】
【００１７】
本考案に係る避雷がいし用防護マットによれば、避雷がいしをマット本体に包み、第１乃至第３の係止帯で係止して固定した状態で搬送できるので、避雷がいしを鉄塔上に荷揚げする際に、鉄塔部材などにぶつかり、或いは、避雷がいし同士が接触して傷付いたり破損してしまう事態の発生を防止できる。
【００１８】
また、マット本体をクッション性の材料で形成することで、避雷がいしが損してしまう事態の発生を効果的に防止できる。
【００１９】
更に、マット本体の対向する短辺側にそれぞれタックを設け、中央部より長辺の両端部を狭くしたことで、避雷がいしの両端部分を第１、第２の係止帯で確実に保持して外れ難くできる。
【００２０】
また、マット本体に避雷がいしを包み込んだ状態で、第１乃至第３の係止部材とこれに対応する第４乃至第６の係止部材により確実に係止して保持できる。
【００２１】
加えて、第１乃至第３の係止部材はそれぞれ、面ファスナのフック面またはループ面であり、第４乃至第６の係止部材はそれぞれ、面ファスナのループ面またはフック面であることで着脱が容易にできる。
【００２２】
また、前記第１乃至第３の係止帯における突出部に、引き剥がしの起点となるつまみ部を設けることで、手袋などをはめた状態でも引き剥がしやすい。
【００２３】
更に、落下防止紐取付リングを設け、落下防止紐などの一端を通し、他端側を作業員のベルトや荷揚げ用のロープやフックなどに固縛することで、避雷がいしの落下を確実に防止することができる。
【図面の簡単な説明】
【００２４】
【図１】本考案の実施の形態に係る避雷がいし用防護マットの斜視図である。
【図２】図１に示した避雷がいし用防護マットを避雷がいしに巻き付けて装着する工程を示す斜視図である。
【図３】本考案の実施の形態に係る避雷がいし用防護マットの変形例を示す斜視図である。
【図４】図３に示した避雷がいし用防護マットを避雷がいしに装着した状態の斜視図である。
【図５】がいし連に避雷がいしを取り付けた状態を示す斜視図である。
【図６】従来の避雷がいしの運搬方法について説明するためのもので、碍子保護運搬袋を示す斜視図である。
【考案を実施するための形態】
【００２５】
以下に、本考案を実施するための形態を、図面を参照して説明する。
【００２６】
図１は、本考案の実施の形態に係る避雷がいし用防護マットの斜視図であり、（ａ）図は裏面側（内側）、（ｂ）図は表面側（外側）をそれぞれ示している。この防護マットは、表面と裏面が化学繊維で、中綿としてキルト芯が縫い込まれたクッション性の材料で形成されている。
【００２７】
具体例を挙げると、マット本体１０は、長手方向（長辺）が４５０ｍｍ程度、短手方向（短辺）が３８０ｍｍ程度であり、厚さは１０ｍｍ程度である。そして、両短辺にタック１１ａ〜１１ｆが設けられて絞り込まれることで、ほぼ樽型の形状をなしている。
【００２８】
上記マット本体１０の短辺にはそれぞれ、短冊状の係止帯１２−１、１２−２が縫い付けられている。これらの係止帯１２−１、１２−２の一端は、上記マット本体１０における長辺の一方から突出している。これらの突出部１２−１ａ、１２−２ａ間における上記マット本体１０の長辺の中央部付近には、係止帯１２−３が縫い付けられており、長辺の一方から突出し、突出部１２−３ａが形成されている。
【００２９】
上記突出部１２−１ａ〜１２−３ａには、それぞれ面ファスナ（係止部材）のフック面（またはループ面）１３−１ａ〜１３−３ａがそれぞれ接着、或いは、縫い付けられている。また、マット本体１０の裏面側には、上記面ファスナに対応する位置に面ファスナのループ面（またはフック面）１３−１ｂ〜１３−３ｂが接着、或いは、縫い付けられている。
【００３０】
また、マット本体１０の短辺の一方と係止帯１２−１との結合部には、ループ状にした帯状の布が縫い付けられており、落下防止紐取付リング１４として使用可能になっている。
【００３１】
上記のような構成において、まず図２（ａ）に示すようにマット本体１０の裏面を上にし、この本体１０上に避雷がいし２を載置し、図２（ｂ）に示すようにマット本体１０で避雷がいし２を包み込む。次に、図２（ｃ）に示すように係止帯１２−１〜１２−３における面ファスナのフック面（またはループ面）１３−１ａ〜１３−３ａと、面ファスナのループ面（またはフック面）１３−１ｂ〜１３−３ｂを使って、避雷がいし２にマット本体１０を巻き付けた状態で係止する。
【００３２】
そして、鉄塔の上に引き上げるときには、ロープで引き上げるか、作業員が携帯する。この際、落下防止紐取付リング１４に落下防止紐などの一端を挿通し、他端側を作業員の安全ベルト、或いは、荷揚げ用のロープやフックなどに固縛することで落下を防止できる。
【００３３】
このような構成の防護マットによれば、避雷がいし２をマット本体１０に包み、第１乃至第３の係止帯１２−１〜１２−３で係止して固定した状態で搬送できるので、鉄塔上に避雷がいし２を作業員が携帯して、或いは、ロープなどで荷揚げする際、鉄塔部材などにぶつかり、或いは、避雷がいし同士が接触して損傷してしまう事態の発生を防止できる。
【００３４】
また、マット本体１０はクッション性の材料で形成したので、避雷がいし２が損傷してしまう事態の発生をより効果的に防止できる。更に、マット本体１０は中央部より長辺の両端部側の幅を狭くしたことで、第１、第２の係止帯１２−１、１２−２で避雷がいし２の両端部分を強く保持することで外れ難くできる。すなわち、マット本体１０を避雷がいし２に巻き付けた時に複数箇所を同じ強さで係止すると抜けやすいが、両端部を押さえて窄まった状態にすることで抜け難くなる。この結果、第３の係止帯１２−３は補助程度で良く、四角形状よりも強く確実に保持できる。
【００３５】
しかも、落下防止紐取付リング１４に落下防止紐などの一端を通し、他端側を作業員のベルトや荷揚げ用のロープやフックなどに固縛することで、避雷がいし２の落下を確実に防止することができる。
【００３６】
図３は、本考案の実施の形態に係る避雷がいし用防護マットの変形例を示す斜視図である。本変形例は、マット本体１０を複数の気室１０−１〜１０−４を有する気密性の部材で形成し、各気室１０−１〜１０−４内に空気などの気体やスポンジなどの多孔質材を封入したものである。
【００３７】
また、例えば、手袋をはめている状態でも容易に外せるように、係止帯１２−１〜１２−３の端部に引き剥がし用のつまみ部１２−１ｂ〜１２−３ｂを設けている。すなわち、面ファスナのフック面（またはループ面）１３−１ａ〜１３−３ａが係止帯１２−１〜１２−３の端部にまで形成されていると剥がれ難いので、係止帯１２−１〜１２−３の端部にスペースを空け、この部分には面ファスナを設けないようにしている。
【００３８】
これによって、図４に示すように、避雷がいし２にマット本端１０を巻き付けた状態でも係止帯１２−１〜１２−３の端部がフリーになり、この部分（つまみ部１２−１ｂ〜１２−３ｂ）が面ファスナを剥がすときの起点になるので、軽い力で且つ手袋をはめていても引き剥がしが容易となる。
【００３９】
なお、本考案は上述した実施の形態や変形例に限定されるものではなく、種々の変形が可能である。例えば、マット本体は上述した、表面と裏面が化学繊維で中綿としてキルト芯が縫い込まれた材料や、複数の気室を有する気密性の部材に限らず、クッション性があり、且つ必要な強度を有するものであれば種々の材料が使用できる。
【００４０】
また、係止部材として面ファスナを使用する例を説明したが、確実に係止でき、且つ容易に着脱できるものであれば、他の係止部材を用いても良い。
【００４１】
更に、タックを付けることでマット本体を樽型に形成したが、両端に比べて中央部の幅が広い帯状の複数の部材を用意し、立体裁断や立体縫製により形成することもできる。
【符号の説明】
【００４２】
１    がいし連
２    避雷がいし
３    取付プレート
４    電線側ヨーク
５    アダプタ
６    アークホーン
７    碍子保護運搬袋
７ａ    網袋体
７ｂ    中網袋
８    紐
１０    マット本体
１０−１〜１０−４    気室
１１ａ〜１１ｆ    タック
１２−１〜１２−３    係止帯
１２−１ａ〜１２−３ａ    突出部
１２−１ｂ〜１２−３ｂ    つまみ部
１３−１ａ〜１３−３ａ    面ファスナのフック面（またはループ面）
１３−１ｂ〜１３−３ｂ    面ファスナのループ面（またはループ面）
１４    落下防止紐取付リング
【図１】
0003177597.tif 000003
【図２】
0003177597.tif 000004
【図３】
0003177597.tif 000005
【図４】
0003177597.tif 000006
【図５】
0003177597.tif 000007
【図６】
0003177597.tif 000008